(57)【特許請求の範囲】
【請求項１】
台形山形状の面戸主板の頂部箇所に挿通孔が形成された被連結部を有する面戸部材と、
下馳部と上馳部にて接合する折板タイプの屋根板材からなる折板屋根の馳締連結箇所に巻き付けられる馳巻き係止部を有し，且つ前記被連結部の挿通孔に遊挿することができる連結用舌片を有する面戸吊子とからなり、前記連結用舌片は、薄板状をなし、折り曲げによる塑性変形ができる程度の厚さを有してなることを特徴とする軒先見切面戸。
【請求項２】
請求項１において、前記面戸部材下部にはエプロン部が形成されてなることを特徴とする軒先見切面戸。
【請求項３】
請求項１又は２において、前記面戸部材の面戸主板の外周で、前記折板屋根の下面側に対応する箇所にシール材が貼着されてなることを特徴とする軒先見切面戸。
【発明の詳細な説明】
【０００１】
【発明の属する技術分野】
本発明は、馳締折板タイプの屋根板にて施工された屋根に簡易且つ迅速に装着することができる軒先見切面戸に関する。
【０００２】
【従来の技術】
従来より金属製の馳締タイプの建築用板からなり、山形部が連続する屋根の施工が多く行われている。このような屋根の山形部箇所の軒先に雨仕舞，外観性等の目的で装着される面戸が種々開発されている。その多くは、面戸主板の頂部箇所にボルトが立設されたものであって、金属屋根の山形部裏面より配置し、その頂部箇所にボルトを貫通させ金属屋根頂部よりナットにて固着する。或いは、軒先箇所に設けられた構造材にボルト・ナット等の固着具にて固着するものである。
【０００３】
【発明が解決しようとする課題】
上述したように、軒先面戸は、屋根の軒先箇所における山形部の下面側に装着されるものであるが、その装着手段として、一般には、ボルト・ナット等の固着具が使用され、その取付作業は、けっこう面倒である。これらに加えて、面戸の装着箇所における雨水の浸入を防止しなければならないことから、ボルト・ナット又はリベット等の固着具には、防水性を有するものが使用される。
【０００４】
また、特に上記の馳締タイプの屋根の場合には、面戸の装着は、隣接する屋根板を馳締連結するときに、同時に行わなければならないことが多い。したがって、面戸が比較的大型サイズの場合には、その施工がより一層，困難性を増し、作業員にも大きな負担がかかることになる。さらに、上記のように、面戸をボルト・ナット又はリベット等の固着具を介して取り付ける場合、一旦面戸を取り付けると、面戸の取付位置の微調整や修正は困難又は不可能である。
【０００５】
【課題を解決するための手段】
そこで、発明者は、前記課題を解決すべく、鋭意，研究を重ねた結果、本発明を、台形山形状の面戸主板の頂部箇所に挿通孔が形成された被連結部を有する面戸部材と、下馳部と上馳部にて接合する折板タイプの屋根板材からなる折板屋根の馳締連結箇所に巻き付けられる馳巻き係止部を有し，且つ前記被連結部の挿通孔に遊挿することができる連結用舌片を有する面戸吊子とからなり、前記連結用舌片は、薄板状をなし、折り曲げによる塑性変形ができる程度の厚さを有してなる軒先見切面戸としたことにより、面戸部材を馳締折板タイプの屋根板にて施工された屋根に簡易且つ迅速に装着することができ、上記課題を解決したものである。
【０００６】
【発明の実施の形態】
以下、本発明の実施形態を図面に基づいて説明する。本発明は、下馳部１１ａと上馳部１１ｂにて連結して折板屋根Ｃを施工する屋根板材Ｐと、上端箇所に被連結部が形成された面戸部材Ａと、前記折板屋根Ｃの馳締連結部１１とともに巻き付けて連結される連結用舌片６を有し，且つ前記面戸部材Ａの被連結部２に連結する連結用舌片６を有する面戸吊子Ｂとから構成される〔図１及び図２（Ａ），（Ｂ），図３等参照〕。
【０００７】
その面戸部材Ａは、主に面戸主板１と被連結部２等から形成されている。その面戸主板１は、正面側より見て略台形山形状に形成されている〔図２（Ａ），図３等参照〕。そして、正面板部１ａの上端には、被連結部２が一体形成されている。また、正面板部１ａの幅方向両側の傾斜状端縁から、該正面板部１ａに略直角で且つ裏面側に向かって折曲形成された傾斜状屈曲片１ｂ，１ｂが形成されている。該傾斜状屈曲片１ｂ，１ｂは、折板屋根Ｃの軒先箇所に装着するときに、屋根板材Ｐの裏面側に当接するものである。
【０００８】
或いは、その傾斜状屈曲片１ｂ，１ｂに後述するシール材４が貼着されることもあり、この場合には、傾斜状屈曲片１ｂ，１ｂと折板屋根Ｃの山形部裏面側との間にシール材４が挟持状態に装着され、防水性を有することになる。その正面板部１ａには外形形状に略等しく、且つ一回り小さく形成された台形山形状の凹み部が形成されることもある。該凹み部分は、補強且つ外観性を良好にするものである。
【０００９】
さらに、前記正面板部１ａの下端縁には、該正面板部１ａの裏面側に向かって屈曲下端片１ｃが形成され、該屈曲下端片１ｃの端縁から、正面より見て略長方形状のエプロン部３が形成されている。該エプロン部３は、必要に応じて形成されるものであり、必ずしも形成されることはない。
【００１０】
その被連結部２は、前述したように面戸主板１の頂部に形成され、該面戸主板１に対して略直角に折り曲げ形成された略平坦状の被連結屈曲片２ａと、該被連結屈曲片２ａに形成された挿通孔２ｂとからなる。該挿通孔２ｂは、筋状に形成されたものであって、その筋状の方向は前記正面板部１ａに対して直角（略直角状態も含む）に形成されている。その挿通孔２ｂに隣接して、被連結屈曲片２ａには、傾斜状の切欠部２ｃが形成されている〔図３（Ａ），（Ｂ）参照〕。
【００１１】
次に、面戸吊子Ｂは、馳巻き係止部５と連結用舌片６とから形成され、その馳巻き係止部５は、後述する屋根板材Ｐの下馳部１１ａと上馳部１１ｂとの間に巻き付けるようにして装着されるものである（図４参照）。その馳巻き係止部５は、下馳部１１ａと略同等の形状をなしており、円弧状にロール形成されている。さらに、別の実施例として、馳巻き係止部５の形状には、前記屋根板材Ｐの下馳部１１ａと上馳部１１ｂとが角馳タイプした実施例に対応する形状としたものが存在する（図１０参照）。
【００１２】
連結用舌片６は、薄板状をなしており、折り曲げによる塑性変形ができる程度の厚さを有したものである。該連結用舌片６は、前記面戸部材Ａの被連結部２に形成された挿通孔２ｂに遊挿させることができるものである〔図３（Ａ）参照〕。その連結用舌片６と前記馳巻き係止部５とは一体成形されている。連結用舌片６には、図８（Ａ），（Ｂ）等に示すように、二股に形成される実施例も存在する。
【００１３】
次に、屋根板材Ｐは、底面部９の幅方向両側より傾斜状の立上り側部１０，１０が形成されている。該立上り側部１０，１０の一方の上端には下馳部１１ａが形成され、他方には上馳部１１ｂが形成されている。その底面部９と立上り側部１０，１０との隅角箇所には被嵌合部１２，１２が形成されている。
【００１４】
該被嵌合部１２は、立上り側部１０の内方側に突出するように形成されたものであり、その被嵌合部１２，１２に受金具に形成された嵌合部位と嵌合する役目をなすものである。そして、隣接する屋根板材Ｐ，Ｐ同士の下馳部１１ａと上馳部１１ｂとが馳締めされて馳締連結部１１が構成され、馳締タイプの折板屋根Ｃが構成される。
【００１５】
そして、前記面戸部材Ａの面戸主板１の台形山形状部とした幅方向両側の下方箇所には、前記被嵌合部１２，１２と同等形状の嵌合屈曲部１ｄ，１ｄが形成されている。また、面戸主板１の両傾斜状屈曲片１ｂ，１ｂ及びエプロン部３の上端箇所にわたって、シール材４が貼着されることもある。
【００１６】
【作用】
まず、折板屋根Ｃは、複数の屋根板材Ｐ，Ｐ，…が配置され、隣接する屋根板材Ｐ，Ｐの下馳部１１ａと上馳部１１ｂとが馳締連結され、馳締連結部１１が形成される。その隣接する屋根板材Ｐ，Ｐの軒先箇所における下馳部１１ａと上馳部１１ｂとを馳締めして馳締連結部１１が形成される際に、その下馳部１１ａに面戸吊子Ｂの馳巻き係止部５が係止される。そして、下馳部１１ａと上馳部１１ｂとの間に面戸吊子Ｂの馳巻き係止部５を巻き込むようにして馳締め連結される〔図６（Ａ），（Ｂ），（Ｃ）参照〕。
【００１７】
次に、面戸部材Ａの被連結部２の挿通孔２ｂに前記面戸吊子Ｂの連結用舌片６が挿入され、しかるのち連結用舌片６が折り曲げられて、該連結用舌片６を被連結屈曲片２ａに当接させる。このようにして、面戸部材Ａを折板屋根Ｃの軒先箇所における山形箇所の下面側に装着するものである。また、隣接する面戸部材Ａ，Ａの下部に形成されたエプロン部３，３同士はビス等の固着具にて連結される〔図７（Ａ），（Ｂ）参照〕。
【００１８】
また、図９（Ａ）に示された実施例では、面戸吊子Ｂの連結用舌片６は、捩じりによる塑性変形を利用して、図９（Ｂ）に示すように、被連結部２の挿通孔２ｂに固着しようとしたものである。具体的には、連結用舌片６を挿通孔２ｂに挿入してから、その連結用舌片６を適宜の角度に捩じり（図の実施例では略９０度）、面戸吊子Ｂが挿通孔２ｂから外れないようにして固着するものである。
【００１９】
【発明の効果】
請求項１の発明は、台形山形状の面戸主板１の頂部箇所に挿通孔２ｂが形成された被連結部２を有する面戸部材Ａと、下馳部１１ａと上馳部１１ｂにて接合する折板タイプの屋根板材Ｐからなる折板屋根Ｃの馳締連結箇所に巻き付けられる馳巻き係止部５を有し，且つ前記被連結部２の挿通孔２ｂに遊挿することができる連結用舌片６を有する面戸吊子Ｂとからなり、前記連結用舌片６は、薄板状をなし、折り曲げによる塑性変形ができる程度の厚さを有してなる軒先見切面戸としたことにより、折板屋根Ｃの軒先への面戸部材Ａの装着を簡易且つ迅速に行うことができるし、その構造を簡単にすることができる。
【００２０】
上記効果を詳述すると、本発明において、面戸部材Ａと面戸吊子Ｂとから構成されているので、まず面戸吊子Ｂの馳巻き係止部５を折板屋根Ｃの馳巻箇所の下馳部１１ａと上馳部１１ｂとともに装着し、折板屋根Ｃを施工してから、面戸部材Ａを前記面戸吊子Ｂを介して装着することができる。
【００２１】
該面戸吊子Ｂは、馳巻き係止部５の下部に連結用舌片６が形成されており、また、面戸部材Ａの被連結部２には、前記連結用舌片６が遊挿する挿通孔２ｂが形成され、該挿通孔２ｂに前記連結用舌片６を挿入し、しかるのち、該連結用舌片６を折り曲げるのみで、面戸部材Ａを折板屋根Ｃへ装着するこができる。上記作業は、面戸部材Ａの装着にビス，ボルト・ナット等の固着具が不要であるため、その作業は極めて簡単であり、且つ短時間に施工完了することができる。
【００２２】
また、面戸吊子Ｂは、馳巻き係止部５を折板屋根Ｃの馳締箇所に装着することで、馳締め箇所の長手方向に沿って、ハンマー等で叩くことにより、微小の範囲内で位置を変更することができるので、これによって面戸部材Ａの装着箇所の微調整が可能となる利点も存在する。
【００２３】
次に、面戸部材Ａと面戸吊子Ｂとの連結作業は、面戸吊子Ｂの連結用舌片６を折り曲げるのみでよく、極めて簡易且つ迅速にすることができる。
【００２４】
次に、請求項２の発明は、請求項１において、前記面戸部材Ａの下部にはエプロン部３が形成されてなる軒先見切面戸としたことにより、隣接する面戸部材Ａ，Ａ同士を前記エプロン部３を介して連結することができ、雨仕舞及び外観性を良好にすることができる。
【００２５】
次に、請求項３の発明は、請求項１又は２において、前記面戸部材Ａの面戸主板１の外周で、前記折板屋根Ｃの下面側に対応する箇所にシール材４が貼着されてなる軒先見切面戸としたことにより、面戸部材Ａを折板屋根Ｃに装着すると、その面戸部材Ａと折板屋根Ｃとの装着箇所にシール材４が挟持状態となり、軒先における雨仕舞いを極めて良好にすることができる。
【図面の簡単な説明】
【図１】本発明の軒先見切面戸を装着した軒先箇所の一部切除した斜視図
【図２】（Ａ）は軒先見切面戸を装着した軒先箇所の正面図
（Ｂ）は軒先見切面戸を装着した軒先箇所の縦断側面図
【図３】（Ａ）は面戸部材と面戸吊子との分解斜視図
（Ｂ）は面戸部材の要部平面図
【図４】面戸吊子の斜視図
【図５】軒先見切面戸と折板屋根との組付構造を示す要部斜視図
【図６】（Ａ）は下馳部に面戸吊子を装着する工程図
（Ｂ）は面戸吊子を装着した下馳部に上馳部を馳締する工程図
（Ｃ）は面戸吊子が馳締連結部に装着された状態図
【図７】（Ａ）は面戸吊子の連結用舌片に面戸部材を取り付ける工程図
（Ｂ）は工程が完了した状態図
【図８】（Ａ）は面戸吊子の別の実施例の斜視図
（Ｂ）は装着した状態図
【図９】（Ａ）は面戸吊子の連結用舌片を捩じった状態図
（Ｂ）は（Ａ）の装着した状態斜視図
【図１０】馳締連結部を角馳タイプとした実施例の要部の縦断正面図
【符号の名称】
Ａ…面戸部材
Ｂ…面戸吊子
Ｃ…折板屋根
Ｐ…屋根板材
１…面戸主板
２…被連結部
２ｂ…挿通孔
３…エプロン部
４…シール材
５…馳巻き係止部
６…連結用舌片
１０ａ…下馳部
１０ｂ…上馳部
【図１】
0003949342.tif 000002
【図２】
0003949342.tif 000003
【図３】
0003949342.tif 000004
【図４】
0003949342.tif 000005
【図５】
0003949342.tif 000006
【図６】
0003949342.tif 000007
【図７】
0003949342.tif 000008
【図８】
0003949342.tif 000009
【図９】
0003949342.tif 000010
【図１０】
0003949342.tif 000011